(57)【要約】【課題】共用エリアの異常に対して迅速に対応できる警備装置及び警備方法を提供すること。【解決手段】操作表示部２２１における利用者からの入力により、共用エリアの警備モードを、親世帯エリアおよび子世帯エリアとは別個に、共用エリア用警備モード記憶部２１４に記憶させることにより、共用エリアにおける現在の警備モードを設定する警備モード切替部２１１と、共用エリアにおける異常を検知する異常検知部２１７と、共用エリア用警備モード記憶部２１４に、現在の警備モードとして、共用エリアにおいて異常が検知された場合に通報先への通報を行う旨の警備モードが設定されている場合に、異常検知部２１７により共用エリアにおける異常が検知されると、異常検知した旨の通報を行う異常通報部２１５と、を備えた。【選択図】        図２
2007011616.tif 000002
【特許請求の範囲】
【請求項１】
同一の居住地区に存在する親世帯エリア、子世帯エリア、および前記親世帯エリアの利用者と前記子世帯エリアの利用者が共通して使用する共用エリアの異常を検知する警備装置であって、
少なくとも前記親世帯エリアおよび前記子世帯エリアにそれぞれ設けられ、利用者からの入力を受け付けるとともに、利用者に対して情報表示を行う操作表示手段と、
前記親世帯エリアにおいて、異常を検知した場合における通報先への通報の可否または前記それぞれのエリアに対する報知の可否など、警備装置の動作を決定する複数の状態からなる警備モードを記憶する親世帯エリア用警備モード記憶手段と、
前記子世帯エリアにおける前記警備モードを記憶する子世帯エリア用警備モード記憶手段と、
前記共用エリアにおける前記警備モードを記憶する共用エリア用警備モード記憶手段と、
前記操作表示手段における利用者からの入力により、前記共用エリアの前記警備モードを、前記親世帯エリアおよび前記子世帯エリアとは別個に、前記共用エリア用警備モード記憶手段に記憶させることにより、前記共用エリアにおける現在の警備モードを設定する警備モード切替手段と、
前記共用エリアにおける異常を検知する異常検知手段と、
前記共用エリア用警備モード記憶手段に、現在の前記警備モードとして、前記共用エリアにおいて異常が検知された場合に通報先への通報を行う旨の警備モードが設定されている場合に、前記異常検知手段により前記共用エリアにおける異常が検知されると、異常検知した旨の通報を行う異常通報手段と、
を備えることを特徴とする警備装置。
【請求項２】
前記異常通報手段は、更に、前記共用エリア用警備モード記憶手段に、現在の前記警備モードとして、前記共用エリアにおいて、異常が検知された場合に前記親世帯エリア、前記子世帯エリアまたは前記共用エリアに異常検知したことを報知する在宅警備状態が設定されている場合に、前記異常検知手段により前記共用エリアにおいて異常が検知されると、前記親世帯エリア、前記子世帯エリアまたは前記共用エリアに異常検知した旨の報知を行うこと、
を特徴とする請求項１に記載の警備装置。
【請求項３】
前記異常通報手段は、更に、前記共用エリア用警備モード記憶手段に、現在の前記警備モードとして、前記共用エリアにおいて、異常が検知された場合にネットワークを介して接続された監視センタに通報を行う警備状態が設定されている場合に、前記異常検知手段により前記共用エリアにおいて異常が検知されると、前記監視センタに対して異常検知した旨の通報を行うこと、
を特徴とする請求項１または２に記載の警備装置。
【請求項４】
前記警備モード切替手段により、前記親世帯エリア用警備モード記憶手段または前記子世帯エリア用警備モード記憶手段に記憶されている前記警備モードが、前記警備状態または前記在宅警備状態に切り替えられた場合に、所定の第１のタイマ時間を設定して時間計測を開始するタイマ設定手段を更に備え、
前記異常通報手段は、更に、前記タイマ設定手段により設定された前記第１のタイマ時間が経過するまでの間に、前記共用エリアにおいて異常が検知された場合、前記親世帯エリアまたは前記子世帯エリアに対して異常検知した旨の報知を行わないこと、及び前記監視センタに対して異常検知した旨の通報を行わないこと、
を特徴とする請求項１〜３のいずれか一つに記載の警備装置。
【請求項５】
前記タイマ設定手段は、更に、前記異常検知手段により前記共用エリアにおける異常が検知された場合に、所定の第２のタイマ時間を設定して時間計測を開始し、
前記異常通報手段は、更に、前記タイマ設定手段により設定された前記第２のタイマ時間が経過するまでの間に、前記警備モード切替手段により、前記親世帯エリア用警備モード記憶手段、前記子世帯エリア用警備モード記憶手段、または前記共用エリア用警備モード記憶手段に記憶されている前記警備モードが、異常を検知しても通報を行わない警備解除状態に切り替えられなかった場合、前記監視センタに対して異常検知した旨の通報を行うこと
を特徴とする請求項１〜４のいずれか一つに記載の警備装置。
【請求項６】
前記異常検知手段により前記共用エリアにおける異常が検知された場合に、前記共用エリアに入館者がいる旨を前記親世帯エリアまたは前記子世帯エリアに出力する出力手段を更に備えたこと、
を特徴とする請求項１〜５のいずれか一つに記載の警備装置。
【請求項７】
同一の居住地区に存在し、出入り口付近に設けられた親世帯エリア及び子世帯エリアと、居住地区の内部において前記親世帯エリアの利用者と前記子世帯エリアの利用者が共通して使用する共用エリアの異常を検知する警備装置であって、
少なくとも前記親世帯エリアおよび前記子世帯エリアにそれぞれ設けられ、利用者からの入力を受け付けるとともに、利用者に対して情報表示を行う操作表示手段と、
前記親世帯エリアにおいて、異常を検知した場合における通報先への通報の可否または前記それぞれのエリアに対する報知の可否など、警備装置の動作を決定する複数の状態からなる警備モードを記憶する親世帯エリア用警備モード記憶手段と、
前記子世帯エリアにおける前記警備モードを記憶する子世帯エリア用警備モード記憶手段と、
前記共用エリアにおける前記警備モードを記憶する共用エリア用警備モード記憶手段と、
前記操作表示手段における利用者からの入力により、前記共用エリアの前記警備モードを、前記親世帯エリアおよび前記子世帯エリアとは別個に、前記共用エリア用警備モード記憶手段に記憶させることにより、前記共用エリアにおける現在の警備モードを設定する警備モード切替手段と、
前記親世帯エリアおよび前記子世帯エリアにおける異常を検知する異常検知手段と、
前記親世帯エリア用警備モード記憶手段に、現在の前記警備モードとして、前記親世帯エリアにおいて、異常が検知された場合に通報先への通報を行う旨の警備モードが設定されている場合に、前記異常検知手段により前記親世帯エリアにおける異常が検知されると、異常検知した旨の通報を行い、前記子世帯エリア用警備モード記憶手段に、現在の前記警備モードとして、前記子世帯エリアにおいて異常が検知された場合に通報先への通報を行う旨の警備モードが設定されている場合に、前記異常検知手段により前記子世帯エリアにおける異常が検知されると、異常検知した旨の通報を行う異常通報手段と、
を備えることを特徴とする警備装置。
【請求項８】
前記異常通報手段は、更に、前記親世帯エリア用警備モード記憶手段に、現在の前記警備モードとして、前記親世帯エリアにおいて、異常が検知された場合に前記親世帯エリア、前記子世帯エリアまたは前記共用エリアに異常検知したことを報知する在宅警備状態が設定されている場合に、前記異常検知手段により前記親世帯エリアにおいて異常が検知されると、前記親世帯エリア、前記子世帯エリアまたは前記共用エリアに異常検知した旨の報知を行い、前記子世帯エリア用警備モード記憶手段に、現在の前記警備モードとして、前記子世帯エリアにおいて、前記在宅警備状態が設定されている場合に、前記異常検知手段により前記子世帯エリアにおいて異常が検知されると、前記親世帯エリア、前記子世帯エリアまたは前記共用エリアに異常検知した旨の報知を行うこと、
を特徴とする請求項７に記載の警備装置。
【請求項９】
前記異常通報手段は、更に、前記親世帯エリア用警備モード記憶手段に、現在の前記警備モードとして、前記親世帯エリアにおいて、異常が検知された場合にネットワークを介して接続された監視センタに通報を行う警備状態が設定されている場合に、前記異常検知手段により前記親世帯エリアにおいて異常が検知されると、前記監視センタに対して異常検知した旨の通報を行い、前記子世帯エリア用警備モード記憶手段に、現在の前記警備モードとして、前記子世帯エリアにおいて、前記警備状態が設定されている場合に、前記異常検知手段により前記子世帯エリアにおいて異常が検知されると、前記監視センタに対して異常検知した旨の通報を行うこと、
を特徴とする請求項７または８に記載の警備装置。
【請求項１０】
前記警備モード切替手段により、前記親世帯エリア用警備モード記憶手段または前記子世帯エリア用警備モード記憶手段に記憶されている前記警備モードが、前記警備状態または前記在宅警備状態に切り替えられた場合に、所定の第１のタイマ時間を設定して時間計測を開始するタイマ設定手段を更に備え、
前記異常通報手段は、更に、前記タイマ設定手段により設定された前記第１のタイマ時間が経過するまでの間に、前記親世帯エリアまたは前記子世帯エリアにおいて異常が検知された場合、前記親世帯エリアまたは前記子世帯エリアに対して異常検知した旨の報知を行わないこと、及び前記監視センタに対して異常検知した旨の通報を行わないこと、
を特徴とする請求項７〜９のいずれか一つに記載の警備装置。
【請求項１１】
前記タイマ設定手段は、更に、前記異常検知手段により前記親世帯エリアまたは前記子世帯エリアにおける異常が検知された場合に、所定の第２のタイマ時間を設定して時間計測を開始し、
前記異常通報手段は、更に、前記タイマ設定手段により設定された前記第２のタイマ時間が経過するまでの間に、前記警備モード切替手段により、前記親世帯エリア用警備モード記憶手段または前記子世帯エリア用警備モード記憶手段に記憶されている前記警備モードが、異常を検知しても通報を行わない警備解除状態に切り替えられなかった場合、前記監視センタに対して異常検知した旨の通報を行うこと、
を特徴とする請求項７〜１０のいずれか一つに記載の警備装置。
【請求項１２】
前記異常検知手段により前記親世帯エリアまたは前記子世帯エリアにおける異常が検知された場合に、前記親世帯エリアまたは前記子世帯エリアに入館者がいる旨を前記共用エリアに出力する出力手段を更に備えたこと、
を特徴とする請求項７〜１１のいずれか一つに記載の警備装置。
【請求項１３】
同一の居住地区に存在する親世帯エリア、子世帯エリア、および前記親世帯エリアの利用者と前記子世帯エリアの利用者が共通して使用する共用エリアの異常を検知する警備方法であって、
前記共用エリアにおける、異常を検知した場合における通報先への通報の可否または前記それぞれのエリアに対する報知の可否など、警備装置の動作を決定する複数の状態からなる警備モードを、前記親世帯エリアおよび前記子世帯エリアとは別個に前記共用エリア用警備モード記憶手段に設定する警備モード切替ステップと、
前記共用エリアにおける異常を検知する異常検知ステップと、
前記共用エリアにおける前記警備モードが、前記共用エリアにおいて異常が検知された場合に通報先への通報を行う旨の警備モードが設定されている場合に、前記異常検知ステップにより前記共用エリアにおける異常が検知されると、異常検知した旨の通報を行う異常通報ステップと、
を含むことを特徴とする警備方法。
【発明の詳細な説明】
【技術分野】
【０００１】
本発明は、同一の居住地区に存在する、親世帯エリア、子世帯エリア、および親世帯エリアの利用者と子世帯エリアの利用者が共通して使用する共用エリアの異常を検知する警備装置及び警備方法に関する。
【背景技術】
【０００２】
従来の警備装置として、監視領域ごとに警備モードの設定が行え、警備状態に設定されている監視領域に設置されているセンサが異常を検知すると、監視センタに警報を通報するものが一般に知られている。
【０００３】
このような警備装置の中で、監視対象であるビルにおいてテナントごとに監視領域が複数存在し、かつ各テナントの従業員等が共通に使用するビルのロビーなどの共用エリアを監視対象として、各テナントの警備状態や共用エリアの警備状態の設定を行って警備処理を行う警備装置も一般的に知られている（例えば、特許文献１参照）。
【０００４】
例えば、特許文献１に開示された技術は、複数の専用警備エリアと共用警備エリアを監視対象とする警備端末装置において、警備専用エリアの警備状態に基づいて共用警備エリアの警備状態の規則を定めておき、当該規則に基づいて防犯センサの異常状態を報知する技術であり、警備状態規則として、全ての警備専用エリア警備状態にある場合にのみ共用警備エリアが警備状態になる点が開示されている。
【０００５】
【特許文献１】特開２０００−９０３７２号公報（請求項２、段落０００３、００１２）
【発明の開示】
【発明が解決しようとする課題】
【０００６】
しかし、上記特許文献１では、複数の監視領域（専用警備エリア）の全てが警備状態にある場合にのみ、共用監視領域（共用警備エリア）が警備状態に設定されるため、一箇所でも監視領域の警備が解除されている場合は、共用監視領域の警備も解除されることになる。このような場合には、共用監視領域への侵入者等を検知することができない。また、監視領域に利用者が居ても、共用監視領域における侵入者等の異常を知ることができなかった。このため、侵入者等の異常を認識するまでに時間が掛かることになり、迅速な対応をすることができないという問題があった。
【０００７】
本発明は、上記に鑑みてなされたものであって、同一の居住地区に存在し、親世帯エリア、子世帯エリア、および共用エリアとを有する監視領域において、親世帯エリア及び子世帯エリアそれぞれから共用エリアに独立した警備モード設定操作を行うことにより、共用エリアの異常に対して迅速に対応できる警備装置及び警備方法を提供することを目的とする。
【課題を解決するための手段】
【０００８】
上述した課題を解決し、目的を達成するために、請求項１にかかる発明は、同一の居住地区に存在する親世帯エリア、子世帯エリア、および前記親世帯エリアの利用者と前記子世帯エリアの利用者が共通して使用する共用エリアの異常を検知する警備装置であって、少なくとも前記親世帯エリアおよび前記子世帯エリアにそれぞれ設けられ、利用者からの入力を受け付けるとともに、利用者に対して情報表示を行う操作表示手段と、前記親世帯エリアにおいて、異常を検知した場合における通報先への通報の可否または前記それぞれのエリアに対する報知の可否など、警備装置の動作を決定する複数の状態からなる警備モードを記憶する親世帯エリア用警備モード記憶手段と、前記子世帯エリアにおける前記警備モードを記憶する子世帯エリア用警備モード記憶手段と、前記共用エリアにおける前記警備モードを記憶する共用エリア用警備モード記憶手段と、前記操作表示手段における利用者からの入力により、前記共用エリアの前記警備モードを、前記親世帯エリアおよび前記子世帯エリアとは別個に、前記共用エリア用警備モード記憶手段に記憶させることにより、前記共用エリアにおける現在の警備モードを設定する警備モード切替手段と、前記共用エリアにおける異常を検知する異常検知手段と、前記共用エリア用警備モード記憶手段に、現在の前記警備モードとして、前記共用エリアにおいて異常が検知された場合に通報先への通報を行う旨の警備モードが設定されている場合に、前記異常検知手段により前記共用エリアにおける異常が検知されると、異常検知した旨の通報を行う異常通報手段と、を備えたことを特徴とする。
【０００９】
また、請求項２にかかる発明は、請求項１に記載の警備装置において、前記異常通報手段は、更に、前記共用エリア用警備モード記憶手段に、現在の前記警備モードとして、前記共用エリアにおいて、異常が検知された場合に前記親世帯エリア、前記子世帯エリアまたは前記共用エリアに異常検知したことを報知する在宅警備状態が設定されている場合に、前記異常検知手段により前記共用エリアにおいて異常が検知されると、前記親世帯エリア、前記子世帯エリアまたは前記共用エリアに異常検知した旨の報知を行うこと、を特徴とする。
【００１０】
また、請求項３にかかる発明は、請求項１または２に記載の警備装置において、前記異常通報手段は、更に、前記共用エリア用警備モード記憶手段に、現在の前記警備モードとして、前記共用エリアにおいて、異常が検知された場合にネットワークを介して接続された監視センタに通報を行う警備状態が設定されている場合に、前記異常検知手段により前記共用エリアにおいて異常が検知されると、前記監視センタに対して異常検知した旨の通報を行うこと、を特徴とする。
【００１１】
また、請求項４にかかる発明は、請求項１〜３のいずれか一つに記載の警備装置において、前記警備モード切替手段により、前記親世帯エリア用警備モード記憶手段または前記子世帯エリア用警備モード記憶手段に記憶されている前記警備モードが、前記警備状態または前記在宅警備状態に切り替えられた場合に、所定の第１のタイマ時間を設定して時間計測を開始するタイマ設定手段を更に備え、前記異常通報手段は、更に、前記タイマ設定手段により設定された前記第１のタイマ時間が経過するまでの間に、前記共用エリアにおいて異常が検知された場合、前記親世帯エリアまたは前記子世帯エリアに対して異常検知した旨の報知を行わないこと、及び前記監視センタに対して異常検知した旨の通報を行わないこと、を特徴とする。
【００１２】
また、請求項５にかかる発明は、請求項１〜４のいずれか一つに記載の警備装置において、前記タイマ設定手段は、更に、前記異常検知手段により前記共用エリアにおける異常が検知された場合に、所定の第２のタイマ時間を設定して時間計測を開始し、前記異常通報手段は、更に、前記タイマ設定手段により設定された前記第２のタイマ時間が経過するまでの間に、前記警備モード切替手段により、前記親世帯エリア用警備モード記憶手段、前記子世帯エリア用警備モード記憶手段、または前記共用エリア用警備モード記憶手段に記憶されている前記警備モードが、異常を検知しても通報を行わない警備解除状態に切り替えられなかった場合、前記監視センタに対して異常検知した旨の通報を行うことを特徴とする。
【００１３】
また、請求項６にかかる発明は、請求項１〜５のいずれか一つに記載の警備装置において、前記異常検知手段により前記共用エリアにおける異常が検知された場合に、前記共用エリアに入館者がいる旨を前記親世帯エリアまたは前記子世帯エリアに出力する出力手段を更に備えたこと、を特徴とする。
【００１４】
また、請求項７にかかる発明は、同一の居住地区に存在し、出入り口付近に設けられた親世帯エリア及び子世帯エリアと、居住地区の内部において前記親世帯エリアの利用者と前記子世帯エリアの利用者が共通して使用する共用エリアの異常を検知する警備装置であって、少なくとも前記親世帯エリアおよび前記子世帯エリアにそれぞれ設けられ、利用者からの入力を受け付けるとともに、利用者に対して情報表示を行う操作表示手段と、前記親世帯エリアにおいて、異常を検知した場合における通報先への通報の可否または前記それぞれのエリアに対する報知の可否など、警備装置の動作を決定する複数の状態からなる警備モードを記憶する親世帯エリア用警備モード記憶手段と、前記子世帯エリアにおける前記警備モードを記憶する子世帯エリア用警備モード記憶手段と、前記共用エリアにおける前記警備モードを記憶する共用エリア用警備モード記憶手段と、前記操作表示手段における利用者からの入力により、前記共用エリアの前記警備モードを、前記親世帯エリアおよび前記子世帯エリアとは別個に、前記共用エリア用警備モード記憶手段に記憶させることにより、前記共用エリアにおける現在の警備モードを設定する警備モード切替手段と、前記親世帯エリアおよび前記子世帯エリアにおける異常を検知する異常検知手段と、前記親世帯エリア用警備モード記憶手段に、現在の前記警備モードとして、前記親世帯エリアにおいて、異常が検知された場合に通報先への通報を行う旨の警備モードが設定されている場合に、前記異常検知手段により前記親世帯エリアにおける異常が検知されると、異常検知した旨の通報を行い、前記子世帯エリア用警備モード記憶手段に、現在の前記警備モードとして、前記子世帯エリアにおいて異常が検知された場合に通報先への通報を行う旨の警備モードが設定されている場合に、前記異常検知手段により前記子世帯エリアにおける異常が検知されると、異常検知した旨の通報を行う異常通報手段と、を備えたことを特徴とする。
【００１５】
また、請求項８にかかる発明は、請求項７に記載の警備装置において、前記異常通報手段は、更に、前記親世帯エリア用警備モード記憶手段に、現在の前記警備モードとして、前記親世帯エリアにおいて、異常が検知された場合に前記親世帯エリア、前記子世帯エリアまたは前記共用エリアに異常検知したことを報知する在宅警備状態が設定されている場合に、前記異常検知手段により前記親世帯エリアにおいて異常が検知されると、前記親世帯エリア、前記子世帯エリアまたは前記共用エリアに異常検知した旨の報知を行い、前記子世帯エリア用警備モード記憶手段に、現在の前記警備モードとして、前記子世帯エリアにおいて、前記在宅警備状態が設定されている場合に、前記異常検知手段により前記子世帯エリアにおいて異常が検知されると、前記親世帯エリア、前記子世帯エリアまたは前記共用エリアに異常検知した旨の報知を行うこと、を特徴とする。
【００１６】
また、請求項９にかかる発明は、請求項７または８に記載の警備装置において、前記異常通報手段は、更に、前記親世帯エリア用警備モード記憶手段に、現在の前記警備モードとして、前記親世帯エリアにおいて、異常が検知された場合にネットワークを介して接続された監視センタに通報を行う警備状態が設定されている場合に、前記異常検知手段により前記親世帯エリアにおいて異常が検知されると、前記監視センタに対して異常検知した旨の通報を行い、前記子世帯エリア用警備モード記憶手段に、現在の前記警備モードとして、前記子世帯エリアにおいて、前記警備状態が設定されている場合に、前記異常検知手段により前記子世帯エリアにおいて異常が検知されると、前記監視センタに対して異常検知した旨の通報を行うこと、を特徴とする。
【００１７】
また、請求項１０にかかる発明は、請求項７〜９のいずれか一つに記載の警備装置において、前記警備モード切替手段により、前記親世帯エリア用警備モード記憶手段または前記子世帯エリア用警備モード記憶手段に記憶されている前記警備モードが、前記警備状態または前記在宅警備状態に切り替えられた場合に、所定の第１のタイマ時間を設定して時間計測を開始するタイマ設定手段を更に備え、前記異常通報手段は、更に、前記タイマ設定手段により設定された前記第１のタイマ時間が経過するまでの間に、前記親世帯エリアまたは前記子世帯エリアにおいて異常が検知された場合、前記親世帯エリアまたは前記子世帯エリアに対して異常検知した旨の報知を行わないこと、及び前記監視センタに対して異常検知した旨の通報を行わないこと、を特徴とする。
【００１８】
また、請求項１１にかかる発明は、請求項７〜１０のいずれか一つに記載の警備装置において、前記タイマ設定手段は、更に、前記異常検知手段により前記親世帯エリアまたは前記子世帯エリアにおける異常が検知された場合に、所定の第２のタイマ時間を設定して時間計測を開始し、前記異常通報手段は、更に、前記タイマ設定手段により設定された前記第２のタイマ時間が経過するまでの間に、前記警備モード切替手段により、前記親世帯エリア用警備モード記憶手段または前記子世帯エリア用警備モード記憶手段に記憶されている前記警備モードが、異常を検知しても通報を行わない警備解除状態に切り替えられなかった場合、前記監視センタに対して異常検知した旨の通報を行うこと、を特徴とする。
【００１９】
また、請求項１２にかかる発明は、請求項７〜１１のいずれか一つに記載の警備装置において、前記異常検知手段により前記親世帯エリアまたは前記子世帯エリアにおける異常が検知された場合に、前記親世帯エリアまたは前記子世帯エリアに入館者がいる旨を前記共用エリアに出力する出力手段を更に備えたこと、を特徴とする。
【００２０】
また、請求項１３にかかる発明は、同一の居住地区に存在する親世帯エリア、子世帯エリア、および前記親世帯エリアの利用者と前記子世帯エリアの利用者が共通して使用する共用エリアの異常を検知する警備方法であって、前記共用エリアにおける、異常を検知した場合における通報先への通報の可否または前記それぞれのエリアに対する報知の可否など、警備装置の動作を決定する複数の状態からなる警備モードを、前記親世帯エリアおよび前記子世帯エリアとは別個に前記共用エリア用警備モード記憶手段に設定する警備モード切替ステップと、前記共用エリアにおける異常を検知する異常検知ステップと、前記共用エリアにおける前記警備モードが、前記共用エリアにおいて異常が検知された場合に通報先への通報を行う旨の警備モードが設定されている場合に、前記異常検知ステップにより前記共用エリアにおける異常が検知されると、異常検知した旨の通報を行う異常通報ステップと、を含むことを特徴とする。
【発明の効果】
【００２１】
請求項１にかかる発明によれば、警備モード切替手段によって、親世帯エリアおよび子世帯エリアとは別個に共用エリアにおける現在の警備モードを設定し、異常検知手段によって、共用エリアにおける異常を検知すると、異常通報手段によって、異常検知した旨の通報を行う。このため、親世帯エリア及び子世帯エリアとは別個に独立して共用エリアの警備を設定することができ、共用エリアのみへの侵入者等などの異常が検知された場合でも、異常検知した旨が通報され、共用エリアの異常に対して迅速な対応をすることができるという効果を奏する。
【００２２】
また、請求項２にかかる発明によれば、共用エリアの現在の警備モードが在宅警備状態に設定されている場合、異常検知手段により共用エリアにおいて異常が検知されると、異常通報手段によって、親世帯エリア、子世帯エリアまたは共用エリアに異常検知した旨の報知を行う。このため、共用エリアのみへの侵入者等などの異常が検知された場合でも、親世帯エリアまたは子世帯エリアに異常検知した旨が報知される。従って、親世帯エリアまたは子世帯エリアにいても、共用エリアの異常を知ることができ、共用エリアの異常に対して迅速な対応をすることができるという効果を奏する。
【００２３】
また、請求項３にかかる発明によれば、共用エリアの現在の警備モードが警備状態に設定されている場合、異常検知手段により共用エリアにおいて異常が検知されると、異常通報手段によって、監視センタに対して異常検知した旨の通報を行う。このため、共用エリアのみへの侵入者等などの異常が検知された場合でも、監視センタに異常検知した旨が通報される。従って、監視センタから警備員を出動させるなどにより、共用エリアの異常に対して迅速な対応をすることができるという効果を奏する。
【００２４】
また、請求項４にかかる発明によれば、警備モード切替手段により親世帯エリアまたは子世帯エリアの警備モードが、警備状態または在宅警備状態に切り替えられた場合に、タイマ設定手段によって、所定の第１のタイマ時間を設定して時間計測を開始し、第１のタイマ時間が経過するまでの間に共用エリアにおいて異常が検知された場合、異常通報手段による親世帯エリアまたは子世帯エリアに対して異常検知した旨の報知を行なわず、監視センタに対して異常検知した旨の通報も行わない。これにより、利用者が警備を設定した後に、共用エリアを通り抜けて外出する場合でも、設定した一定時間内においては利用者を侵入者と誤って捉えることがなく、誤った警報が報知されたり、誤って異常検知した旨が通報されることはない。従って、誤報に対する確認や対応に費やす時間や労力を軽減することができるという効果を奏する。
【００２５】
また、請求項５にかかる発明によれば、異常検知手段により共用エリアにおける異常が検知された場合に、タイマ設定手段によって、所定の第２のタイマ時間を設定して時間計測を開始し、第２のタイマ時間が経過するまでの間に、警備モード切替手段により、親世帯エリア、子世帯エリア、または共用エリアの警備モードが警備解除状態に切り替えられなかった場合、異常通報手段によって、監視センタに対して異常検知した旨の通報を行う。これにより、利用者が警備を設定して外出した後に、共用エリアを通り抜けて帰宅する場合でも、利用者の共用エリアへの入館による異常が検知されてから設定した一定時間内においては、利用者を侵入者と誤って捉えることがなく、誤った警報が報知されたり、誤って異常検知した旨が通報されることはない。従って、誤報に対する確認や対応に費やす時間や労力を軽減することができるという効果を奏する。
【００２６】
また、請求項６にかかる発明によれば、出力手段によって、異常検知手段により共用エリアにおける異常が検知された場合に、共用エリアに入館者がいる旨を親世帯エリアまたは子世帯エリアに出力する。このため、親世帯エリアまたは子世帯エリアにいる利用者は、共用エリアを通り抜けて外出または帰宅する他の利用者の存在を知ることができるとともに監視領域の状況を認識することができる。従って、監視領域の異常が検知された場合でも、迅速な対応をすることができるという効果を奏する。
【００２７】
また、請求項７にかかる発明によれば、警備モード切替手段によって、親世帯エリアおよび子世帯エリアとは別個に共用エリアにおける現在の警備モードを設定し、異常検知手段によって、親世帯エリアおよび子世帯エリアにおける異常を検知すると、異常通報手段によって、異常検知した旨の通報を行う。このため、親世帯エリア及び子世帯エリアとは別個に独立して共用エリアの警備を設定することができ、親世帯エリア及び子世帯エリアのみへの侵入者等などの異常が検知された場合でも、異常検知した旨が通報され、親世帯エリア及び子世帯エリアの異常に対して迅速な対応をすることができるという効果を奏する。
【００２８】
また、請求項８にかかる発明によれば、親世帯エリアの現在の警備モードが在宅警備状態に設定されている場合、異常検知手段により親世帯エリアにおいて異常が検知されると、異常通報手段によって、親世帯エリア、子世帯エリアまたは共用エリアに異常検知した旨の報知を行い、子世帯エリアの現在の警備モードが在宅警備状態に設定されている場合、異常検知手段により子世帯エリアにおいて異常が検知されると、異常通報手段によって、親世帯エリア、子世帯エリアまたは共用エリアに異常検知した旨の報知を行う。このため、親世帯エリア及び子世帯エリアとは別個に独立して共用エリアの警備を設定することができ、親世帯エリア又は子世帯エリアのみへの侵入者等などの異常が検知された場合でも、共用エリアに異常検知した旨が通報される。従って、共用エリアにいても、出入り口付近に設けられた親世帯エリア及び子世帯エリアの異常を知ることができ、親世帯エリア及び子世帯エリアの異常に対して迅速な対応をすることができるという効果を奏する。
【００２９】
また、請求項９にかかる発明によれば、異常通報手段によって、親世帯エリアの現在の警備モードに警備状態が設定されている場合、異常検知手段により親世帯エリアにおいて異常が検知されると、監視センタに対して異常検知した旨の通報を行い、子世帯エリアの現在の警備モードが警備状態に設定されている場合、異常検知手段により子世帯エリアにおいて異常が検知されると、監視センタに対して異常検知した旨の通報を行う。このため、出入り口付近に設けられた親世帯エリア及び子世帯エリアのみへの侵入者等などの異常が検知された場合でも、監視センタに異常検知した旨が通報される。従って、監視センタから警備員を出動させるなどにより、親世帯エリア及び子世帯エリアの異常に対して迅速な対応をすることができるという効果を奏する。
【００３０】
また、請求項１０にかかる発明によれば、警備モード切替手段により、親世帯エリアまたは子世帯エリアの警備モードが、警備状態または在宅警備状態に切り替えられた場合に、タイマ設定手段によって、所定の第１のタイマ時間を設定して時間計測を開始し、第１のタイマ時間が経過するまでの間に、親世帯エリアまたは子世帯エリアにおいて異常が検知された場合、異常通報手段によって、親世帯エリア、子世帯エリア、または共用エリアに対して異常検知した旨の報知を行わず、監視センタに対して異常検知した旨の通報も行わない。これにより、利用者が出入り口付近に設けられた親世帯エリアまたは子世帯エリアで警備を設定した後に外出する場合でも、設定した一定時間内においては利用者を侵入者と誤って捉えることがなく、誤った警報が報知されたり、誤って異常検知した旨が通報されることはない。従って、誤報に対する確認や対応に費やす時間や労力を軽減することができるという効果を奏する。
【００３１】
また、請求項１１にかかる発明によれば、異常検知手段により親世帯エリアまたは子世帯エリアにおける異常が検知された場合に、タイマ設定手段によって、所定の第２のタイマ時間を設定して時間計測を開始し、第２のタイマ時間が経過するまでの間に、警備モード切替手段により、親世帯エリアまたは子世帯エリアの警備モードが警備解除状態に切り替えられなかった場合、異常通報手段によって、監視センタに対して異常検知した旨の通報を行う。これにより、利用者が出入り口付近に設けられた親世帯エリアまたは子世帯エリアの警備を設定して外出した後に帰宅する場合でも、利用者の該エリアへの入館による異常が検知されてから設定した一定時間内においては、利用者を侵入者と誤って捉えることがなく、誤った警報が報知されたり、誤って異常検知した旨が通報されることはない。従って、誤報に対する確認や対応に費やす時間や労力を軽減することができるという効果を奏する。
【００３２】
また、請求項１２にかかる発明によれば、出力手段によって、異常検知手段により親世帯エリアまたは子世帯エリアにおける異常が検知された場合に、親世帯エリアまたは子世帯エリアに入館者がいる旨を共用エリアに出力する。このため、共用エリアにいる利用者は、出入り口付近に設けられた親世帯エリアまたは子世帯エリアを通り外出または帰宅する他の利用者の存在を知ることができるとともに監視領域の状況を認識することができる。従って、監視領域の異常が検知された場合でも、迅速な対応をすることができるという効果を奏する。
【００３３】
また、請求項１３にかかる発明によれば、警備モード切替ステップによって、共用エリアにおける警備モードを、親世帯エリアおよび子世帯エリアとは別個に共用エリア用警備モード記憶手段に設定し、異常検知ステップによって、共用エリアにおける異常を検知すると、異常通報ステップによって、異常検知した旨の通報を行う。このため、親世帯エリア及び子世帯エリアとは別個に独立して共用エリアの警備を設定することができ、共用エリアのみへの侵入者等などの異常が検知された場合でも、異常検知した旨が通報され、共用エリアの異常に対して迅速な対応をすることができるという効果を奏する。
【発明を実施するための最良の形態】
【００３４】
以下に添付図面を参照して、この発明にかかる警備装置及び警備方法の最良な実施の形態を詳細に説明する。
【００３５】
（第１の実施の形態）
図１は、第１の実施の形態にかかる警備システムの構成を示すブロック図である。本実施の形態にかかる警備システム１００は、警備装置１１０と、監視センタ１３０とから構成されており、警備装置１１０と監視センタ１３０はネットワーク１２０を介して接続されている。
【００３６】
警備装置１１０は、同一の居住地区に存在する親世帯エリア、子世帯エリア、および親世帯エリアの利用者と子世帯エリアの利用者が共通して使用する共用エリアを監視領域としており、親世帯エリア側に設置されている。そして、警備装置１１０の警備設定等の操作を行うコントローラ２２０、サブコントローラ２３０が親世帯エリア、子世帯エリアのそれぞれに設置されている。
【００３７】
警備装置１１０は、親世帯エリア、子世帯エリア、および共用エリアにおける異常を検知した場合、監視センタ１３０に異常を検知した旨を通報し、あるいは親世帯エリア、子世帯エリアなどに異常を検知した旨を報知するものである。
【００３８】
ネットワーク１２０は、電話回線、無線ネットワーク、インターネットなどであって、警備装置１１０と監視センタ１３０を接続している。
【００３９】
監視センタ１３０は、警備装置１１０からの異常を検知した旨の通報を受信した場合に、待機中の警備員に対して異常が検知された監視領域へ向かう旨の指示を出すとともに、必要に応じて警察や消防など関係機関への通報を行うセンタである。
【００４０】
次に、警備装置１１０の詳細について説明する。図２は、本実施の形態にかかる警備装置１１０の構成を示すブロック図である。図２に示すように、本実施の形態にかかる警備装置１１０は、複数のセンサ２０１ａ〜２０１ｎ、２０３ａ〜２０３ｎ、２０７ａ〜２０７ｎと、カメラ２０２、２０４、２０８と、入出力制御部２０５と、通信制御部２０６と、制御部２１０と、コントローラ２２０と、サブコントローラ２３０と、を主に備えている。
【００４１】
センサ２０１ａ〜２０１ｎは、親世帯エリア側に設置されており、親世帯エリアへの侵入者等の異常を検知する目的で設置された人感センサであり、たとえば赤外線の受光量の変化をもとに人の存在を検出する赤外線センサ、赤外線などの受信が遮断されることで人の存在を検出する遮断センサ、電磁波の乱れで人の存在を検知する気配センサ、およびマグネットにより扉の開閉を検出するマグネットセンサなどの監視領域の異常を検出する各種センサ等が該当し、人の存在や扉の開閉を検知した場合に検知信号を出力する。
【００４２】
また、センサ２０３ａ〜２０３ｎは、子世帯エリア側に設置されて子世帯エリアへの侵入者等の異常を検知する目的で設置された人感センサであり、さらに、センサ２０７ａ〜２０７ｎは、共用エリア側に設置されて共用エリアへの侵入者等の異常を検知する目的で設置された人感センサであり、具体的なセンサの例としては、親世帯エリア側のセンサ２０１ａ〜２０１ｎと同様である。
【００４３】
カメラ２０２は、親世帯エリア側に設置され、親世帯エリアの内部及びその周辺を撮像するものである。カメラ２０４は、子世帯エリア側に設置され、子世帯エリアの内部及びその周辺を撮像するものである。また、カメラ２０８は、共用エリア側に設置され、共用エリアの内部及びその周辺を撮像するものである。
【００４４】
入出力制御部２０５は、サブコントローラ２３０の入出力制御、センサ２０１ａ〜２０１ｎ、センサ２０３ａ〜２０３ｎ、センサ２０７ａ〜２０７ｎ、カメラ２０２、カメラ２０４、カメラ２０８の入力制御より種々のデータの入出力を制御する処理部である。
【００４５】
通信制御部２０６は、警備装置１１０とネットワーク１２０との間における通信を制御するものであり、具体的にはネットワークボードなどが該当する。
【００４６】
制御部２１０は、警備装置１１０の全体制御を行うものであり、さらに警備モード切替部２１１と、親世帯エリア用警備モード記憶部２１２と、子世帯エリア用警備モード記憶部２１３と、共用エリア用警備モード記憶部２１４と、異常検知部２１７と、異常通報部２１５と、タイマ設定部２１６と、出力部２１８と、を主に備えている。
【００４７】
警備モード切替部２１１は、親世帯エリア用警備モード記憶部２１２、子世帯エリア用警備モード記憶部２１３、または共用エリア用警備モード記憶部２１４に、コントローラ２２０又はサブコントローラ２３０から入力を受け付けた警備モードを記憶させることにより設定を行うものである。ここで、警備モードとは、親世帯エリア、子世帯エリア及び共用エリアにおいて異常検知した際の通報先への通報の可否、または前記各エリアに対する報知の可否などを定めたモードであり、異常を検知したときの警備装置１１０の動作を決定するモードである。警備モードは、通報の可否および通報先、各エリアへの報知の有無などによって複数のモードが存在する。代表的な警備モードとしては、警備状態、在宅警備状態、セルフ警備状態、警備解除状態が存在し、コントローラ２２０又はサブコントローラ２３０における操作により、前記各エリアの警備モードを設定するようにしている。
【００４８】
まず、警備状態とは、主に住人が外出中、警備を必要とする場合に設定する警備モードであり、センサによって異常を検知したときに発せられる検知信号を警備装置が受信した場合に、監視センタに異常を知らせる警報を通報する状態である。なお、警備装置の設置されている監視領域において異常を検知したことを報知する場合もある。これは、侵入者を威嚇する目的や誤報である場合に警報解除操作を促す目的で報知するものである。
【００４９】
在宅警備状態とは、主に住人が在宅中、警備を必要とする場合に設定する警備モードであり、センサによって異常を検知したときに発せられる検知信号を警備装置が受信した場合に、監視領域において異常を検知したことを報知する状態である。なお、監視領域だけではなく監視センタに異常を知らせる警報を報知する場合もある。これは、在宅時においても監視センタへの通報を行う契約を結んだ場合であり、監視領域において異常を検知したことを報知した後に、監視センタに通報を行うなどの動作をする。
【００５０】
セルフ警備状態とは、主に住人が外出中、自分で警備を行おうとする場合に設定する警備モードであり、センサによって異常を検知したときに発せられる検知信号を警備装置が受信した場合に、外出時の利用者が所持する携帯電話や固定電話などの通報先端末に異常を検知したことを通報する状態である。なお、監視領域において異常を検知したことを報知する場合がある。これは、侵入者を威嚇する目的や誤報である場合に警報解除操作を促す目的で報知するものである。
【００５１】
警備解除状態とは、主に住人が在宅中、警備を必要としない場合に設定する警備モードであり、センサによって異常を検知したときに発せられる検知信号を警備装置が受信した場合でも、監視センタへの警報の通報、監視領域における異常の検知、通報先端末への異常の通報のいずれも行わない状態である。これは、センサにより異常が検知（人の存在の検知、扉の開閉の検知）されても、在宅中の住人を検知したものと判断するためである。
【００５２】
なお、検知された異常が火災やガス漏れの場合、または、非常ボタンが操作された場合は、前記いずれの警備モードであるかによらず、監視センタへの通報、各エリアへの異常が検知された旨の報知などを行う。
【００５３】
本実施の形態にかかる警備システム１００においては、共用エリアの警備状態は、親世帯エリアおよび子世帯エリアが共に警備状態に設定されたことに連動して、共用エリアが警備状態に設定されるものとする。本実施の形態では、これを前提とした上で、さらに、共用エリアは、親世帯エリア、子世帯エリアと独立して警備モードを設定できるようになっている。
【００５４】
これにより、例えば親世帯エリア、子世帯エリアの利用者とも在宅中に、親世帯エリア、子世帯エリアとも警備解除状態に設定している時、共用エリアのみを在宅警備状態に設定して、玄関から誰かが入ってきたことを、親世帯エリア、子世帯エリアの利用者に報知することが可能となる。
【００５５】
親世帯エリア用警備モード記憶部２１２は、親世帯エリアにおける現在の上述した警備モードを記憶するメモリなどの記憶媒体である。また、子世帯エリア用警備モード記憶部２１３は、子世帯エリアにおける現在の上述した警備モードを記憶するメモリなどの記憶媒体である。また、共用エリア用警備モード記憶部２１４は、共用エリアにおける現在の上述した警備モードを記憶するメモリなどの記憶媒体である。
【００５６】
異常検知部２１７は、親世帯エリアに設置されているセンサ２０１、子世帯エリアに設置されているセンサ２０３及び共用エリアに設置されているセンサ２０７から送られてくる検知信号をもとに、それぞれのエリアにおける異常を検知するものである。
【００５７】
異常通報部２１５は、親世帯エリア、子世帯エリア、または共用エリアの警備モードが警備状態またはセルフ警備状態などの通報を行う状態に設定されているとき、即ち、親世帯エリア用警備モード記憶部２１２、子世帯エリア用警備モード記憶部２１３又は共用エリア用警備モード記憶部２１４に警備状態またはセルフ警備状態などが記憶されているとき、当該エリアに設置されたセンサ２０１ａ〜２０１ｎ、センサ２０３ａ〜２０３ｎ、またはセンサ２０７ａ〜２０７ｎから検知信号が出力されると、これを異常検知部２１７によって検知して監視センタ１３０または外出時の利用者が所持する携帯電話などに対して異常が検知された旨を通報する。
【００５８】
また、本実施の形態では、異常通報部２１５は、共用エリアのセンサ２０７ａ〜２０７ｎから検知信号が出力された場合、これを異常検知部２１７によって検知して親世帯エリアのコントローラ２２０のスピーカ２２３又は子世帯エリアのコントローラ２３０のスピーカ２３３から異常が検知された旨を報知する。
【００５９】
タイマ設定部２１６は、警備モード切替部２１１により、親世帯エリア用警備モード記憶部２１２に記憶されている親世帯エリアの現在の警備モード、または子世帯エリア用警備モード記憶部２１３に記憶されている子世帯エリアの現在の警備モードが、警備状態またはセルフ警備状態に切り替えられた場合に、所定のタイマ時間を設定する退館タイマの時間計測を開始するものである。退館タイマの計時中は、警備状態またはセルフ警備状態に切り替えた親世帯エリアまたは子世帯エリアと、共用エリアにおいて異常が検知されたとしても異常通報部２１５によって、検知信号をキャンセルして無用な通報または報知が行われないようにする。
【００６０】
例えば、親世帯エリアの利用者が親世帯エリアを警備状態に設定して共用エリアを通り外出する場合を想定して、利用者が警備状態に設定する操作を行った後共用エリアを通って外出するまでにかかる時間をもとに退館タイマ時間を設定することにより、子世帯エリアの利用者が共用エリアの警備モードを警備状態またはセルフ警備状態などの通報を行う警備モード状態に設定していた場合であっても、無用な通報または報知が行われてしまうことを防止できる。また、親世帯エリアの利用者は、このとき、共用エリアの警備モードを気にすることなく、親世帯エリアの警備モードを警備状態またはセルフ警備状態に設定する操作を行うだけで済む。
【００６１】
また、タイマ設定部２１６は、共用エリア用警備モード記憶部２１４に記憶されている共用エリアの現在の警備モードが警備状態またはセルフ警備状態などの通報または報知を行う警備モード状態に設定されている時、共用エリアに設置されたセンサ２０７ａ〜２０７ｎにより、共用エリアにおいて異常（人の存在、扉の開閉など）が検知された場合に、所定のタイマ時間を設定する入館タイマの時間計測を開始する。入館タイマの計時中は、異常検知に基づく検知信号を保留しておき、帰宅してきた親世帯エリアまたは子世帯エリアの利用者を検知した場合に無用な通報または報知が行われないようにする。所定のタイマ時間が経過する前に親世帯エリアまたは子世帯エリアの警備モードが警備解除状態に切り替えられた場合、または共用エリアの警備モードが警備解除状態に切り替えられた場合は、異常通報部２１５によって保留していた検知信号をキャンセルし、所定のタイマ時間が経過するまでに警備モードの切り替えが行われなかった場合は、異常検知した旨の通報を行うなどする。
【００６２】
例えば、親世帯エリアの利用者が外出から帰宅し、共用エリアを通り親世帯エリアに移動して親世帯エリアを警備解除状態に切り替える場合を想定して、利用者が帰宅して共用エリアに入ってから親世帯エリアに移動して親世帯エリアを警備解除状態に切り替えるまでの時間をもとに入館タイマ時間を設定することにより、子世帯エリアの利用者が共用エリアの警備モードを警備状態またはセルフ警備状態などの通報または報知を行う警備モード状態に設定していた場合であっても、無用な通報または報知が行われてしまうことを防止できる。また、親世帯エリアの利用者は、このとき、共用エリアの警備モードを気にすることなく、親世帯エリアの警備モードを警備解除状態に設定する操作を行うだけで済む。
【００６３】
出力部２１８は、異常検知部２１７によって共用エリアにおける異常が検知された場合に、共用エリアに誰かが入館したことを知らせるタイマ音を、親世帯エリア又は子世帯エリアに出力するものである。この場合、誰かが共用エリアに入館するごとにタイマ音の出力が行われるため、例えば、タイマ音として、耳あたりのよいメロディ等を流すことが好ましい。
【００６４】
コントローラ２２０は、親世帯エリア側に設置されており、親世帯エリアにいる利用者から親世帯エリアまたは共用エリアの警備モード設定操作等のための制御を行うものである。なお、コントローラ２２０により、子世帯エリアの警備モード設定操作を行えるようにしてもよい。コントローラ２２０は、更に、操作表示部２２１と、マイク２２２と、スピーカ２２３と、を主に備えている。
【００６５】
操作表示部２２１は、例えばタッチ入力式の液晶画面であり、利用者に対して各種設定画面を表示して親世帯エリアにいる利用者によって親世帯エリアまたは共用エリアにおける警備モードの入力を受け付けるものであり、更に、利用者が親世帯エリアにいながら、子世帯エリアにおける警備モードの入力を受け付けるものである。
【００６６】
マイク２２２は、親世帯エリアにいる者が発した音声を取得し、スピーカ２２３は送信された音声等を親世帯エリアに出力するものである。
【００６７】
サブコントローラ２３０は、子世帯エリア側に設置されており、子世帯エリアにいる利用者から子世帯エリアまたは共用エリアの警備モード設定操作等のための制御を行うものである。なお、サブコントローラ２３０により、親世帯エリアの警備モード設定操作を行えるようにしてもよい。サブコントローラ２３０は、更に、操作表示部２３１と、マイク２３２と、スピーカ２３３と、を主に備えている。
【００６８】
操作表示部２３１は、例えばタッチ入力式の液晶画面であり、子世帯エリアにいる利用者によって、子世帯エリアまたは共用エリアにおける警備モードの入力を受け付けるものであり、更に、利用者が子世帯エリアにいながら、親世帯エリアにおける警備モードの入力を受け付けるものである。
【００６９】
マイク２３２は、子世帯エリアにいる者が発した音声を取得し、スピーカ２３３は送信された音声等を子世帯エリアに出力するものである。
【００７０】
次に、以上のように構成された本実施の形態にかかる警備装置１１０による警備モード設定処理について説明する。図３は、親世帯エリアにおいて警備装置１１０により警備モードを設定する際の手順を示すフローチャートである。なお、子世帯エリアにおいて警備装置１１０により警備モードを設定する際の手順も同様である。
【００７１】
まず、親世帯エリアにおける利用者が警備モードの設定をする際には、コントローラ２２０の操作表示部２２１に警備モードの設定画面が表示され（ステップＳ３０１）、利用者によって警備モードの設定を行う監視領域が選択される。
【００７２】
図４−１は、操作表示部２２１に表示される警備モードの設定画面（監視領域の選択画面）の一例を示す模式図である。図４−１に示すように、操作表示部２２１には、警備モード設定を行う監視領域を選択するための親世帯エリア、子世帯エリア及び共用エリアのボタンが表示されている。例えば、利用者が共用エリアの警備モード設定を行う場合には、利用者が共用エリアのボタンを押下すると、警備モード設定を行う監視領域が共用エリアに選択される。なお、警備モード設定を行う監視領域は、エリア内でさらに細分化して部屋単位で選択できるようにしてもよい。
【００７３】
このようにして、操作表示部２２１は、利用者による監視領域の選択を受け付ける（ステップＳ３０２）。次に、操作表示部２２１には、選択した監視領域の警備モードの設定画面が表示され、利用者によって設定を行う警備モードが選択される。
【００７４】
図４−２は、操作表示部２２１における共用エリアの警備モード設定画面（警備モードの選択画面）の一例を示す模式図である。図４−２に示すように、操作表示部２２１には、警備モード設定としての、警備状態、在宅警備状態、セルフ警備状態および警備解除状態に対応する各ボタンが表示される。例えば、警備モードを、警備解除状態から警備状態に設定する場合には、利用者が警備状態のボタンを押下すると、設定を行う警備モードが警備状態に選択される。このようにして、操作表示部２２１は、利用者による警備モードの選択を受け付ける（ステップＳ３０３）。
【００７５】
次に、警備モード切替部２２１は、警備モードの設定の対象として選択された監視領域が、親世帯エリア、子世帯エリア、共用エリアのいずれであるか判断をする（ステップＳ３０４）。そして、選択された監視領域が親世帯エリアであった場合（ステップ３０４：親世帯エリア）、警備モード切替部２２１は、親世帯エリアの警備モードを選択された警備モードに設定する（ステップＳ３０５）。即ち、警備モード切替部２２１は、親世帯エリア用警備モード記憶部２１２に、選択された警備モードを記憶する。
【００７６】
また、選択された監視領域が子世帯エリアであった場合（ステップＳ３０４：子世帯エリア）も同様に、警備モード切替部２２１は、子世帯エリアの警備モードを選択された警備モードに設定する（ステップＳ３０６）。即ち、警備モード切替部２２１は、子世帯エリア用警備モード記憶部２１３に、選択された警備モードを記憶する。
【００７７】
さらに、選択された監視領域が共用エリアであった場合（ステップＳ３０４：共用エリア）も同様に、警備モード切替部２２１は、共用エリアの警備モードを選択された警備モードに設定する（ステップＳ３０７）。即ち、警備モード切替部２２１は、共用エリア用警備モード記憶部２１４に、選択された警備モードを記憶する。以上のような手順によって、選択された監視領域において、選択された警備モードを設定する。従って、親世帯エリア、子世帯エリア、共用エリアは、別個に警備モードの設定が可能となる。
【００７８】
次に、本実施の形態にかかる警備装置１１０により退館タイマを利用した警備モード設定処理について説明する。図５は、親世帯エリアにおいて警備装置１１０により退館タイマを利用した警備モードの設定をする際の手順を示すフローチャートである。
【００７９】
まず、親世帯エリアの利用者は、外出する際にコントローラ２２０の操作表示部２２１から親世帯エリアの警備モードの切り替え（設定）を行うと、警備モード切替部２１１は、利用者によって選択された警備モードを、親世帯エリア用警備モード記憶部２１２に記憶する。次に、タイマ設定部２１６は、親世帯エリアの警備モードが警備状態またはセルフ警備状態に切り替えられたか否かの判断をする（ステップＳ５０１）。タイマ設定部２１６は、利用者が外出する場合のみに退館タイマを起動させるためである。そして、親世帯エリアの警備モードが、警備状態またはセルフ警備状態のいずれにも設定されてなかった場合（ステップＳ５０１：Ｎｏ）は、タイマ設定部２１６は、設定されるまで待機する。
【００８０】
一方、親世帯エリアの警備モードが、警備状態またはセルフ警備状態のいずれかに設定されていた場合（ステップＳ５０１：Ｙｅｓ）、タイマ設定部２１６は、退館タイマを起動し、予め設定されていた一定時間の計時を開始する（ステップＳ５０２）。図６は、退館タイマが起動した際の計時開始画面の一例を示す模式図である。図６に示すように、退館タイマ中である旨及び、監視領域（親世帯エリア）が表示され、警備を開始するまでの残りのタイマ時間、タイマ設定の解除ボタンが表示される。
【００８１】
次に、異常検知部２１７が、親世帯エリアの利用者が警備モードの設定を行ってから外出するまでの退館タイマの計時中に、親世帯エリアのセンサ２０１ａ〜２０１ｎまたは共用エリアのセンサ２０７ａ〜２０７ｎから検知信号を受信すると（ステップＳ５０３）、異常通報部２１５は、受信した検知信号をキャンセル（または無視）し、検知信号に基づく通報または報知を行わないようにする（ステップＳ５０４）。
【００８２】
そして、異常通報部２１５は、タイマ設定部２１６によって開始された退館タイマが、設定された一定時間を経過したか否かの判断をする（ステップＳ５０５）。タイマ設定部２１６により設定された一定時間を経過していない場合（ステップＳ５０５：Ｎｏ）、異常通報部２１５は、ステップＳ５０３に戻り、タイマ設定部２１６によって一定時間が経過するまで、処理を繰り返す。
【００８３】
一方、設定された一定時間が経過した場合（ステップＳ５０５：Ｙｅｓ）、タイマ設定部２１６は、退館タイマを停止する（ステップＳ５０６）。なお、退館タイマが停止した後に異常検知部２１７から検知信号を受信した場合、異常通報部２１５は、設定された警備モードに従って、検知信号に基づく通報または報知を行う。
【００８４】
次に、本実施の形態にかかる警備装置１１０により退館タイマを利用した警備モード設定処理について説明する。図７は、子世帯エリアにおいて警備装置１１０により退館タイマを利用した警備モードの設定をする際の手順を示すフローチャートである。
【００８５】
まず、子世帯エリアの利用者は、外出する際にサブコントローラ２３０の操作表示部２３１から子世帯エリアの警備モードの切り替え（設定）を行うと、警備モード切替部２１１は、利用者によって選択された警備モードを、子世帯エリア用警備モード記憶部２１３に記憶する。次に、タイマ設定部２１６は、子世帯エリアの警備モードが警備状態またはセルフ警備状態に切り替えられたか否かの判断をする（ステップＳ７０１）。タイマ設定部２１６は、利用者が外出する場合のみに退館タイマを起動させるためである。そして、子世帯エリアの警備モードが、警備状態またはセルフ警備状態のいずれにも設定されてなかった場合（ステップＳ７０１：Ｎｏ）は、タイマ設定部２１６は、設定されるまで待機する。
【００８６】
一方、子世帯エリアの警備モードが、警備状態またはセルフ警備状態のいずれかに設定されていた場合（ステップＳ７０１：Ｙｅｓ）、タイマ設定部２１６は、退館タイマを起動し、予め設定されていた一定時間の計時を開始する（ステップＳ７０２）。
【００８７】
次に、異常検知部２１７が、子世帯エリアの利用者が警備モードの設定を行ってから外出するまでの退館タイマの計時中に、子世帯エリアのセンサ２０３ａ〜２０３ｎまたは共用エリアのセンサ２０７ａ〜２０７ｎから検知信号を受信すると（ステップＳ７０３）、異常通報部２１５は、受信した検知信号をキャンセル（または無視）し、検知信号に基づく通報または報知を行わないようにする（ステップＳ７０４）。
【００８８】
そして、異常通報部２１５は、タイマ設定部２１６によって開始された退館タイマが、設定された一定時間を経過したか否かの判断をする（ステップＳ７０５）。タイマ設定部２１６により設定された一定時間を経過していない場合（ステップＳ７０５：Ｎｏ）、異常通報部２１５は、ステップＳ７０３に戻り、タイマ設定部２１６によって一定時間が経過するまで、処理を繰り返す。
【００８９】
一方、設定された一定時間が経過した場合（ステップＳ７０５：Ｙｅｓ）、タイマ設定部２１６は、退館タイマを停止する（ステップＳ７０６）。なお、退館タイマが停止した後に異常検知部２１７から検知信号を受信した場合、異常通報部２１５は、設定された警備モードに従って、検知信号に基づく通報または報知を行う。
【００９０】
次に、本実施の形態にかかる警備装置１１０により入館タイマを利用した警備モード設定処理について説明する。図８−１、図８−２は、入館タイマを利用した警備モードの設定をする際の手順を示すフローチャートである。
【００９１】
まず、タイマ設定部２１６は、共用エリアの警備モードが警備状態、セルフ警備状態または在宅警備状態に設定されているか否かの判断をする（ステップＳ８０１）。即ち、タイマ設定部２１６は、共用エリア用警備モード記憶部２１４に、現在の共用エリアの警備モードとして警備状態、セルフ警備状態または在宅警備状態が記憶されているか否かの判断をする。
【００９２】
共用エリアの警備モードが警備状態、セルフ警備状態または在宅警備状態に設定されている場合（ステップＳ８０１：Ｙｅｓ）、異常検知部２１７は、共用エリアのセンサ２０７ａ〜２０７ｎから検知信号を受信したか否かの判断をする（ステップＳ８０２）。異常検知部２１７が共用エリアのセンサ２０７ａ〜２０７ｎから検知信号を受信していない場合（ステップＳ８０２：Ｎｏ）、再度、ステップＳ８０１の処理を繰り返す。
【００９３】
一方、異常検知部２１７が共用エリアのセンサ２０７ａ〜２０７ｎから、人の存在や扉の開閉等による検知信号を受信した場合（ステップＳ８０２：Ｙｅｓ）、タイマ設定部２１６は、入館タイマを起動し、予め設定されていた一定時間の計時を開始する（ステップＳ８０３）。次に、入館タイマの計時が開始されると、出力部２１８は、入館者がいる旨のタイマ音、または警備モードを警備解除状態に切り替える操作を促すメッセージを出力する（ステップＳ８０４）。例えば、タイマ音としてのメロディ等や、「所定時間内に警備解除を行ってください」というメッセージ等を出力する。
【００９４】
次に、異常検知部２１７は、入館タイマ計時中に、共用エリアのセンサ２０７ａ〜２０７ｎ、警備中の親世帯エリアのセンサ２０１ａ〜２０１ｎ、または警備中の子世帯エリアのセンサ２０３ａ〜２０３ｎから検知信号を受信すると（ステップＳ８０５）、異常通報部２１５は、受信した全ての検知信号を保留し、検知信号に基づく通報または報知を行わないようにする（ステップＳ８０６）。
【００９５】
そして、異常通報部２１５は、親世帯エリアまたは子世帯エリアの警備モードが警備解除状態に切り替えられたか否かの判断をする（ステップＳ８０７）。即ち、異常通報部２１５は、警備モード切替部２１１によって親世帯エリア用警備モード記憶部２１２または子世帯用警備モード記憶部２１３に、警備解除状態が記憶された否かの判断をする。
【００９６】
親世帯エリアまたは子世帯エリアの警備モードが警備解除状態に切り替えられた場合（ステップＳ８０７：Ｙｅｓ）、親世帯エリアまたは子世帯エリアの利用者が帰宅したことを検知したものと判断し、異常通報部２１５は、保留されていた全ての検知信号を取り消す（ステップＳ８０８）。なお、親世帯エリアおよび子世帯エリアの警備モードが警備解除状態に設定されており、共用エリアの警備モードのみ警備中であった場合には、共用エリアの警備モードが警備解除状態に切り替えられると、同様に、異常通報部２１５は、保留されていた全ての検知信号を取り消す。
【００９７】
一方、親世帯エリアまたは子世帯エリアの警備モードが警備解除状態に切り替えられなかった場合（ステップＳ８０７：Ｎｏ）、異常通報部２１５は、タイマ設定部２１６によって開始された入館タイマが、設定された一定時間を経過したか否かの判断をする（ステップＳ８０９）。タイマ設定部２１６による計時が設定された一定時間を経過していない場合（ステップＳ８０９：Ｎｏ）、異常通報部２１５は、ステップＳ８０４に戻り、タイマ設定部２１６によって一定時間が経過するまで、ステップＳ８０４〜Ｓ８０７のＳ処理を繰り返す。
【００９８】
一方、タイマ設定部２１６による計時が設定された一定時間を経過した場合（ステップＳ８０９：Ｙｅｓ）、検知したのは侵入者等であると判断して、親世帯エリア、子世帯エリア、または共用エリアの警備モードが警備状態に設定されている場合に、異常通報部２１５は、監視センタに異常が検知された旨を通報する（ステップＳ８１０）。また、異常通報部２１５は、親世帯エリアまたは子世帯エリアに異常が検知された旨を報知する（ステップＳ８１１）。
【００９９】
そして、設定された一定時間を経過すると、タイマ設定部２１６は、入館タイマを停止する（ステップＳ８１２）。また、異常通報部２１５が全ての検知信号を取り消した場合（ステップＳ８０８）も、タイマ設定部２１６は、入館タイマを停止する（ステップＳ８１２）。
【０１００】
ステップＳ８０１において、共用エリアの警備モードが警備状態、セルフ警備状態または在宅警備状態に設定されていない場合（ステップＳ８０１：Ｎｏ）、タイマ部２１８は、親世帯エリアの警備モードが警備状態、セルフ警備状態、または在宅警備状態に設定され、子世帯エリアの警備モードが警備解除状態に設定されているか否かの判断をする（ステップＳ８１３）。即ち、親世帯エリア用警備モード記憶部２１２に警備状態、セルフ警備状態、または在宅警備状態が記憶され、子世帯エリア用警備モード記憶部２１３に警備解除状態が記憶されているか否かの判断をする。
【０１０１】
親世帯エリアの警備モードが警備状態、セルフ警備状態、または在宅警備状態に設定されておらず、子世帯エリアの警備モードが警備解除状態に設定されていない場合（ステップＳ８１３：Ｎｏ）は、入館タイマを起動せずに、処理を抜ける。
【０１０２】
一方、親世帯エリアの警備モードが警備状態、セルフ警備状態、または在宅警備状態に設定され、子世帯エリアの警備モードが警備解除状態に設定されている場合（ステップＳ８１３：Ｙｅｓ）、異常検知部２１７は、親世帯エリアのセンサ２０１ａ〜２０１ｎから検知信号を受信したか否かの判断をする（ステップＳ８１４）。異常検知部２１７が親世帯エリアのセンサ２０１ａ〜２０１ｎから検知信号を受信していない場合（ステップＳ８１４：Ｎｏ）、再度、ステップＳ８１３の処理を繰り返す。
【０１０３】
一方、異常検知部２１７が親世帯エリアのセンサ２０１ａ〜２０１ｎから、人の存在や扉の開閉等による検知信号を受信した場合（ステップＳ８１４：Ｙｅｓ）、タイマ設定部２１６は、入館タイマを起動し、予め設定されていた一定時間の計時を開始する（ステップＳ８１５）。次に、入館タイマの計時が開始されると、出力部２１８は、入館者がいる旨のタイマ音、または警備モードを警備解除状態に切り替える操作を促すメッセージを出力する（ステップＳ８１６）。例えば、タイマ音としてのメロディ等や、「所定時間内に警備解除を行ってください」というメッセージ等を出力する。
【０１０４】
次に、異常検知部２１７は、入館タイマ計時中に、親世帯エリアのセンサ２０１ａ〜２０１ｎから検知信号を受信する（ステップＳ８１７）。異常検知部２１７から検知信号を受信すると、異常通報部２１５は、受信した全ての検知信号を保留し、検知信号に基づく通報または報知を行わないようにする（ステップＳ８１８）。
【０１０５】
そして、異常通報部２１５は、親世帯エリアの警備モードが警備解除状態に切り替えられたか否かの判断をする（ステップＳ８１９）。即ち、異常通報部２１５は、警備モード切替部２１１によって親世帯エリア用警備モード記憶部２１２に、警備解除状態が記憶された否かの判断をする。
【０１０６】
親世帯エリアの警備モードが警備解除状態に切り替えられた場合（ステップＳ８１９：Ｙｅｓ）、親世帯エリアの利用者が帰宅したことを検知したものと判断し、異常通報部２１５は、保留されていた全ての検知信号を取り消す（ステップＳ８２０）。
【０１０７】
一方、親世帯エリアの警備モードが警備解除状態に切り替えられなかった場合（ステップＳ８１９：Ｎｏ）、異常通報部２１５は、タイマ設定部２１６によって開始された入館タイマが、設定された一定時間を経過したか否かの判断をする（ステップＳ８２１）。タイマ設定部２１６による計時が設定された一定時間を経過していない場合（ステップＳ８２１：Ｎｏ）、異常通報部２１５は、ステップＳ８１６に戻り、タイマ設定部２１６によって一定時間が経過するまで、ステップＳ８１６〜Ｓ８１９の処理を繰り返す。
【０１０８】
一方、タイマ設定部２１６による計時が設定された一定時間を経過した場合（ステップＳ８２１：Ｙｅｓ）、検知したのは侵入者等であると判断して、親世帯エリアが警備状態に設定されている場合に、異常通報部２１５は、監視センタに異常が検知された旨を通報する（ステップＳ８２２）。また、異常通報部２１５は、親世帯エリアまたは子世帯エリアに異常が検知された旨を報知する（ステップＳ８２３）。
【０１０９】
そして、設定された一定時間を経過すると、タイマ設定部２１６は、入館タイマを停止する（ステップＳ８２４）。また、異常通報部２１５が全ての検知信号を取り消した場合（ステップＳ８２０）も、タイマ設定部２１６は、入館タイマを停止する（ステップＳ８２４）。
【０１１０】
なお、ステップＳ８０１において、共用エリアの警備モードが警備状態、セルフ警備状態または在宅警備状態に設定されていない場合（ステップＳ８０１：Ｎｏ）であって、親世帯エリアに帰宅する場合について、図８−２によって説明したが、共用エリアの警備モードが警備状態、セルフ警備状態または在宅警備状態に設定されていない場合に、子世帯エリアに帰宅する場合も図８−２と同様であるため、説明を省略する。
【０１１１】
このように、第１の実施の形態における警備装置１１０では、親世帯エリア及び子世帯エリアとは別個に独立して共用エリアの警備を設定することができ、共用エリアのみへの侵入者等などの異常が検知された場合でも、親世帯エリアまたは子世帯エリアに異常検知した旨が通報されたり、監視センタに異常検知した旨が通報されるため、共用エリアの異常に対して迅速な対応をすることができる。
【０１１２】
さらに、第１の実施の形態における警備装置１１０では、利用者が警備を設定した後に、共用エリアを通り抜けて外出する場合でも、設定した一定時間内においては利用者を侵入者と誤って捉えることがなく、また、利用者が警備を設定して外出した後に、共用エリアを通り抜けて帰宅する場合でも、利用者の共用エリアへの入館による異常が検知されてから設定した一定時間内においては、利用者を侵入者と誤って捉えることがなく、誤った警報が報知されたり、誤って異常検知された旨が通報されることはない。従って、誤報に対する確認や対応に費やす時間や労力を軽減することができる。さらに、親世帯エリアまたは子世帯エリアにいる利用者は、共用エリアを通り抜けて外出または帰宅する他の利用者の存在を知ることができるとともに監視領域の状況を認識することができる。従って、監視領域の異常が検知された場合でも、迅速な対応をすることができる。
【０１１３】
（第２の実施の形態）
第１の実施の形態の警備装置は、親世帯エリアまたは子世帯エリアから共用エリアを通り外出する際または帰宅する際に、一定時間タイマを設定することによって、誤報等を防止するものであったが、第２の実施の形態の警備装置では、出入り口付近に設けられた親世帯エリア及び子世帯エリアと、居住地区の内部において前記親世帯エリアの利用者と前記子世帯エリアの利用者が共通して使用する共用エリアが設けられている場合であって、共用エリアから親世帯エリアまたは子世帯エリアを通り外出する際または帰宅する際に、一定時間タイマを設定することによって、誤報を防止するものである。以下に、添付図面を参照して、第２の実施の形態について説明する。
【０１１４】
図９は、第２の実施の形態にかかる警備システムの構成を示すブロック図である。本実施の形態にかかる警備システム７００は、警備装置７１０と、監視センタ１３０とから構成されており、警備装置７１０と監視センタ１３０はネットワーク１２０を介して接続されている。
【０１１５】
図９に示すように、居住地区の出入り口付近には、親世帯エリア及び子世帯エリアが設けられており、居住地区の内部において親世帯エリアおよび子世帯エリアに隣接して親世帯、子世帯の利用者が生活する共用エリアが設けられている。
【０１１６】
警備装置７１０は、同一の居住地区の出入り口付近に存在する親世帯エリア及び子世帯エリアと、親世帯エリアの利用者と子世帯エリアの利用者が共通して使用する共用エリアを監視領域としており、共用エリア側に設置されている。そして、警備装置７１０の警備設定等の操作を行うコントローラ８２０は共用エリアに、サブコントローラ８３０は親世帯エリアに、サブコントローラ８４０は子世帯エリアにそれぞれ設置されている。なお、この場合、玄関を共通とし、共通のサブコントローラを使用して操作を行うようにしてもよい。その場合、暗証番号、ＩＤカード、ＩＤタグ等を使用することで、親世帯エリアの者か、子世帯エリアの者かを判断する。
【０１１７】
警備装置７１０は、親世帯エリア、子世帯エリア、および共通エリアにおいて異常を検知した場合、監視センタ１３０に異常を検知した旨を通報し、あるいは共通エリアなどに異常を検知した旨を報知するものである。
【０１１８】
ここで、ネットワーク１２０と、監視センタ１３０の構成及び機能は、第１の実施の形態と同様であるので、説明は省略する。
【０１１９】
次に、警備装置７１０の詳細について説明する。図１０は、本実施の形態にかかる警備装置７１０の構成を示すブロック図である。図１０に示すように、本実施の形態にかかる警備装置７１０は、複数のセンサ２０１ａ〜２０１ｎ、２０３ａ〜２０３ｎ、２０７ａ〜２０７ｎと、カメラ２０２、２０４、２０８と、入出力制御部２０５と、通信制御部２０６と、制御部８１０と、コントローラ８２０と、サブコントローラ８３０と、サブコントローラ８４０と、を主に備えている。
【０１２０】
ここで、センサ２０１ａ〜２０１ｎと、センサ２０３ａ〜２０３ｎと、センサ２０７ａ〜２０７ｎと、カメラ２０２と、カメラ２０４と、カメラ２０８と、入出力制御部２０５と、通信制御部２０６の構成及び機能は、第１の実施の形態と同様であるので、説明を省略する。
【０１２１】
制御部８１０は、警備装置７１０の全体制御を行うものであり、さらに警備モード切替部８１１と、親世帯エリア用警備モード記憶部２１２と、子世帯エリア用警備モード記憶部２１３と、共用エリア用警備モード記憶部２１４と、異常検知部２１７と、異常通報部８１５と、タイマ設定部８１６と、出力部８１８と、を主に備えている。
【０１２２】
警備モード切替部８１１は、親世帯エリア用警備モード記憶部２１２、子世帯エリア用警備モード記憶部２１２又は共用エリア用警備モード記憶部２１４に、コントローラ８２０、サブコントローラ８３０又はサブコントローラ８４０から入力を受け付けた警備モードを記憶させることにより設定を行うものである。ここで、警備モードについては、第１の実施の形態と同様であるので、説明を省略する。
【０１２３】
本実施の形態にかかる警備システム７００においては、共用エリアの警備状態は、従来技術の警備システムと同様、親世帯エリアおよび子世帯エリアが警備状態に設定されたことに連動して、自動的に共用エリアを警備状態に設定されるものである。従って、親世帯エリアおよび子世帯エリアの利用者は、自己が外出する際に責任を持って自己のエリアを警備設定すれば、両世帯エリアの利用者が外出したときは、両世帯エリアとも警備状態となり、共用エリアが警備状態となる。このため、親世帯エリア、子世帯エリアの利用者は、互いに相手の世帯の状態を確認することなく、自己のエリアに対する警備モードを切り替える操作を行えばよく、責任が明確となり、思い込みによる操作忘れを回避できる。
【０１２４】
また、共用エリアは独立して警備モードを設定できるようになっていることにより、例えば、親世帯エリア、子世帯エリアの利用者とも在宅中に、親世帯エリア、子世帯エリアとも在宅警備状態に設定し、共用エリアのみを警備解除状態に設定すると、玄関から誰かが入ってきたことを、共用エリアに在室している利用者に報知することが可能となる。
【０１２５】
ここで、親世帯エリア用警備モード記憶部２１２と、子世帯エリア用警備モード記憶部２１３と、共用エリア用警備モード記憶部２１４と、異常検知部２１７の構成及び機能は、第１の実施の形態と同様であるので、説明を省略する。
【０１２６】
異常通報部８１５は、親世帯エリア、子世帯エリア、または共用エリアの警備モードが警備状態またはセルフ警備状態などの通報を行う状態に設定されているとき、即ち、親世帯エリア用警備モード記憶部２１２、子世帯エリア用警備モード記憶部２１３又は共用エリア用警備モード記憶部２１４に警備状態またはセルフ警備状態などが記憶されているとき、当該エリアに設置されたセンサ２０１ａ〜２０１ｎ、センサ２０３ａ〜２０３ｎ、またはセンサ２０７ａ〜２０７ｎから検知信号が出力されると、これを異常検知部２１７によって検知して監視センタ１３０または外出時の利用者が所持する携帯電話などに対して異常が検知された旨を通報する。
【０１２７】
また、本実施の形態では、異常通報部８１５は、親世帯エリアのセンサ２０１ａ〜２０１ｎまたは子世帯エリアのセンサ２０３ａ〜２０３ｎから検知信号が出力された場合、これを異常検知部２１７によって検知して共用エリアのコントローラ８２０のスピーカ８２３から異常が検知された旨を報知する。
【０１２８】
タイマ設定部８１６は、警備モード切替部８１１により、親世帯エリア用警備モード記憶部２１３に記憶されている親世帯エリアの現在の警備モード、または子世帯エリア用警備モード記憶部２１３に記憶されている子世帯エリアの現在の警備モードが、警備状態またはセルフ警備状態に切り替えられた場合に、所定のタイマ時間を設定する退館タイマの時間計測を開始するものである。退官タイマの計時中は、警備状態またはセルフ警備状態に切り替えた親世帯エリアまたは子世帯エリアにおいて異常が検知されたとしても、検知信号をキャンセルして無用な通報または報知が行われないようにする。
【０１２９】
例えば、親世帯エリアの利用者が親世帯エリアを警備状態に設定して外出する場合を想定して、利用者が警備状態に設定する操作を行った後外出するまでにかかる時間をもとに退館タイマ時間を設定することにより、無用な通報または報知が行われてしまうことを防止できる。また、親世帯エリアの利用者は、このとき、共用エリアの警備モードを気にすることなく、親世帯エリアの警備モードを警備状態またはセルフ警備状態に設定する操作を行うだけで済む。
【０１３０】
また、タイマ設定部８１６は、親世帯エリア用警備モード記憶部２１２に記憶されている親世帯エリアの現在の警備モード、または子世帯エリア用警備モード記憶部２１３に記憶されている子世帯エリアの現在の警備モードが警備状態またはセルフ警備状態などの通報または報知を行う状態に設定されている時、親世帯エリアに設置されたセンサ２０１ａ〜２０１ｎまたは子世帯エリアに設置されたセンサ２０３ａ〜２０３ｎにより、親世帯エリアまたは子世帯エリアにおいて異常（人の存在、扉の開閉など）が検知された場合に、所定のタイマ時間を設定する入館タイマの時間計測を開始する。入館タイマの計時中は、異常検知に基づく検知信号を保留しておき、帰宅してきた親世帯エリアまたは子世帯エリアの利用者を検知した場合に無用な通報または報知が行われないようにする。所定のタイマ時間が経過する前に親世帯エリアまたは子世帯エリアの警備モードが警備解除状態に切り替えられた場合は、保留していた検知信号をキャンセルし、所定のタイマ時間が経過するまでに警備モードの切り替えが行われなかった場合は、異常検知した旨の通報を行うなどする。
【０１３１】
例えば、親世帯エリアの利用者が外出から帰宅し、親世帯エリアを警備解除状態に切り替える場合を想定して、利用者が帰宅して親世帯エリア入ってから、親世帯エリアを警備解除状態に切り替えるまでの時間をもとに入館タイマ時間を設定することにより、無用な通報または報知が行われてしまうことを防止できる。また、親世帯エリアの利用者は、このとき、共用エリアの警備モードを気にすることなく、親世帯エリアの警備モードを警備解除状態に設定する操作を行うだけで済む。
【０１３２】
出力部８１８は、異常検知部２１７によって親世帯エリアまたは子世帯エリアにおける異常が検知された場合に、親世帯エリアまたは子世帯エリアに誰かが入館したことを知らせるタイマ音を、共用エリアに出力するものである。この場合、誰かが親世帯エリアまたは子世帯エリアに入館するごとにタイマ音の出力が行われるため、例えば、タイマ音として、耳あたりのよいメロディ等を流すことが好ましい。
【０１３３】
コントローラ８２０は、共用エリア側に設置されており、共用エリアにいる利用者から共用エリア、親世帯エリア又は子世帯エリアの警備モード設定操作等のための制御を行うものである。コントローラ８２０は、更に、操作表示部８２１と、マイク８２２と、スピーカ８２３と、を主に備えている。
【０１３４】
操作表示部２２１は、例えばタッチ入力式の液晶画面であり、利用者に対して各種設定画面を表示して共用エリアにいる利用者によって共用エリアにおける警備モードの入力を受け付けるものであり、更に、利用者が共用エリアにいながら、親世帯エリア又は子世帯エリアにおける警備モードの入力を受け付けるものである。
【０１３５】
マイク８２２は、共用エリアにいる者が発した音声を取得し、スピーカ８２３は送信された音声等を共用エリアに出力するものである。
【０１３６】
サブコントローラ８３０は、親世帯エリア側に設置されており、親世帯エリアにいる利用者から親世帯エリア、子世帯エリア又は共用エリアの警備モード設定操作等のための制御を行うものである。サブコントローラ８３０は、更に、操作表示部８３１と、マイク８３２と、スピーカ８３３と、を主に備えている。
【０１３７】
操作表示部８３１は、例えばタッチ入力式の液晶画面であり、親世帯エリアにいる利用者によって、親世帯エリアにおける警備モードの入力を受け付けるものであり、更に、利用者が親世帯にいながら、子世帯エリア又は共用エリアにおける警備モードの入力を受け付けるものである。
【０１３８】
マイク８３２は、親世帯エリアにいる者が発した音声を取得し、スピーカ８３３は送信された音声等を親世帯エリアに出力するものである。
【０１３９】
サブコントローラ８４０は、子世帯エリア側に設置されており、子世帯エリアにいる利用者から子世帯エリア、親世帯エリア又は共用エリアの警備モード設定操作等のための制御を行うものである。サブコントローラ８４０は、更に、操作表示部８４１と、マイク８４２と、スピーカ８４３と、を主に備えている。
【０１４０】
操作表示部８４１は、例えばタッチ入力式の液晶画面であり、子世帯エリアにいる利用者によって、子世帯エリアにおける警備モードの入力を受け付けるものであり、更に、利用者が子世帯にいながら、親世帯エリア又は共用エリアにおける警備モードの入力を受け付けるものである。
【０１４１】
マイク８４２は、子世帯エリアにいる者が発した音声を取得し、スピーカ８４３は送信された音声等を子世帯エリアに出力するものである。
【０１４２】
次に、以上のように構成された本実施の形態にかかる警備装置７１０は、第１の実施の形態と同様に警備モードの設定を行うことができる。本実施の形態における警備装置７１０において、親世帯エリアから警備装置７１０により警備モードを設定する際の手順は、第１の実施の形態における図３に示すフローチャートと同様であるので、説明を省略する。また、子世帯エリア、共用エリアにおいて警備装置７１０により警備モードを設定する際の手順も同様であるため、説明を省略する。さらに、本実施の形態における警備装置７１０は、第１の実施の形態と同様に、親世帯エリア、子世帯エリア、共用エリアについて、別個に警備モードの設定が可能である。
【０１４３】
次に、本実施の形態にかかる警備装置７１０による退館タイマを利用した警備モード設定処理について説明する。図１１は、親世帯エリアにおいて警備装置７１０により退館タイマを利用した警備モードの設定をする際の手順を示すフローチャートである。
【０１４４】
まず、親世帯エリアの利用者は、外出する際にサブコントローラ８３０の操作表示部８３１から親世帯エリアの警備モードの切り替え（設定）を行うと、警備モード切替部８１１は、利用者によって選択された警備モードを、親世帯エリア用警備モード記憶部２１２に記憶する。なお、外出する際に、共用エリアに設置されているコントローラ８２０の操作表示部８２１から親世帯エリアの警備モードを切り替えるようにしてもよい。
【０１４５】
次に、タイマ設定部８１６は、親世帯エリアの警備モードが警備状態またはセルフ警備状態に切り替えられたか否かの判断をする（ステップＳ１１０１）。タイマ設定部８１６は、利用者が外出する場合のみに退館タイマを起動させるためである。そして、親世帯エリアの警備モードが、警備状態またはセルフ警備状態のいずれにも設定されてなかった場合（ステップＳ１１０１：Ｎｏ）は、タイマ設定部８１６は、設定されるまで待機する。
【０１４６】
一方、親世帯エリアの警備モードが、警備状態またはセルフ警備状態のいずれかに設定されていた場合（ステップＳ１１０１：Ｙｅｓ）、タイマ設定部８１６は、退館タイマを起動し、予め設定されていた一定時間の計時を開始する（ステップＳ１１０２）。第１の実施の形態の図６に示すように、退館タイマ中である旨及び、監視領域（親世帯エリア）が表示され、警備を開始するまでの残りのタイマ時間、タイマ設定の解除ボタンが表示される。
【０１４７】
次に、異常検知部２１７が、親世帯エリアの利用者が警備モードの設定を行ってから外出するまでの退館タイマの計時中に、親世帯エリアのセンサ２０１ａ〜２０１ｎから検知信号を受信すると（ステップＳ１１０３）、異常通報部８１５は、受信した検知信号をキャンセル（または無視）し、検知信号に基づく通報または報知を行わないようにする（ステップＳ１１０４）。
【０１４８】
そして、異常通報部８１５は、タイマ設定部８１６によって開始された退館タイマが、設定された一定時間を経過したか否かの判断をする（ステップＳ１１０５）。タイマ設定部８１６により設定された一定時間を経過していない場合（ステップＳ１１０５：Ｎｏ）、異常通報部８１５は、ステップＳ１１０３に戻り、タイマ設定部８１６によって一定時間が経過するまで、処理を繰り返す。
【０１４９】
一方、設定された一定時間が経過した場合（ステップＳ１１０５：Ｙｅｓ）、タイマ設定部８１６は、退館タイマを停止する（ステップＳ１１０６）。なお、退館タイマが停止した後に異常検知部２１７から検知信号を受信した場合、異常通報部８１５は、設定された警備モードに従って、検知信号に基づく通報または報知を行う。
【０１５０】
次に、本実施の形態にかかる警備装置７１０により退館タイマを利用した警備モード設定処理について説明する。図１２は、子世帯エリアにおいて警備装置７１０により退館タイマを利用した警備モードの設定をする際の手順を示すフローチャートである。
【０１５１】
まず、子世帯エリアの利用者は、外出する際にサブコントローラ８４０の操作表示部８４１から子世帯エリアの警備モードの切り替え（設定）を行うと、警備モード切替部８１１は、利用者によって選択された警備モードを、子世帯エリア用警備モード記憶部２１３に記憶する。なお、外出する際に、共用エリアに設置されているコントローラ８２０の操作表示部８２１から親世帯エリアの警備モードを切り替えるようにしてもよい。
【０１５２】
次に、タイマ設定部８１６は、子世帯エリアの警備モードが警備状態またはセルフ警備状態に切り替えられたか否かの判断をする（ステップＳ１２０１）。タイマ設定部８１６は、利用者が外出する場合のみに退館タイマを起動させるためである。そして、子世帯エリアの警備モードが、警備状態またはセルフ警備状態のいずれにも設定されてなかった場合（ステップＳ１２０１：Ｎｏ）は、タイマ設定部８１６は、設定されるまで待機する。
【０１５３】
一方、子世帯エリアの警備モードが、警備状態またはセルフ警備状態のいずれかに設定されていた場合（ステップＳ１２０１：Ｙｅｓ）、タイマ設定部８１６は、退館タイマを起動し、予め設定されていた一定時間の計時を開始する（ステップＳ１２０２）。
【０１５４】
次に、異常検知部２１７が、子世帯エリアの利用者が警備モードの設定を行ってから外出するまでの退館タイマの計時中に、子世帯エリアのセンサ２０３ａ〜２０３ｎから検知信号を受信すると（ステップＳ１２０３）、異常通報部８１５は、受信した検知信号をキャンセル（または無視）し、検知信号に基づく通報または報知を行わないようにする（ステップＳ１２０４）。
【０１５５】
そして、異常通報部８１５は、タイマ設定部８１６によって開始された退館タイマが、設定された一定時間を経過したか否かの判断をする（ステップＳ１２０５）。タイマ設定部８１６により設定された一定時間を経過していない場合（ステップＳ１２０５：Ｎｏ）、異常通報部８１５は、ステップＳ１２０３に戻り、タイマ設定部８１６によって一定時間が経過するまで、処理を繰り返す。
【０１５６】
一方、設定された一定時間が経過した場合（ステップＳ１２０５：Ｙｅｓ）、タイマ設定部８１６は、退館タイマを停止する（ステップＳ１２０６）。なお、退館タイマが停止した後に異常検知部２１７から検知信号を受信した場合、異常通報部８１５は、設定された警備モードに従って、検知信号に基づく通報または報知を行う。
【０１５７】
次に、本実施の形態にかかる警備装置７１０により入館タイマを利用した警備モード設定処理について説明する。図１３は、親世帯エリアにおいて入館タイマを利用した警備モードの設定をする際の手順を示すフローチャートである。
【０１５８】
まず、タイマ設定部８１６は、親世帯エリアの警備モードが警備状態、セルフ警備状態または在宅警備状態に設定されているか否かの判断をする（ステップＳ１３０１）。即ち、タイマ設定部８１６は、親世帯エリア用警備モード記憶部２１２に、現在の親世帯エリアの警備モードとして警備状態、セルフ警備状態または在宅警備状態が記憶されているか否かの判断をする。親世帯エリアの警備モードが警備状態、セルフ警備状態または在宅警備状態に設定されていない場合（ステップＳ１３０１：Ｎｏ）は、入館タイマを起動せず、処理を抜ける。
【０１５９】
一方、親世帯エリアの警備モードが警備状態、セルフ警備状態または在宅警備状態に設定されている場合（ステップＳ１３０１：Ｙｅｓ）、異常検知部２１７は、親世帯エリアのセンサ２０１ａ〜２０１ｎから検知信号を受信したか否かの判断をする（ステップＳ１３０２）。異常検知部２１７が親世帯エリアのセンサ２０１ａ〜２０１ｎから検知信号を受信していない場合（ステップＳ１３０２：Ｎｏ）、再度、ステップＳ１３０１の処理を繰り返す。
【０１６０】
一方、異常検知部２１７が親世帯エリアのセンサ２０１ａ〜２０１ｎから、人の存在や扉の開閉等による検知信号を受信した場合（ステップＳ１３０２：Ｙｅｓ）、タイマ設定部８１６は、入館タイマを起動し、予め設定されていた一定時間の計時を開始する（ステップＳ１３０３）。次に、入館タイマの計時が開始されると、出力部８１８は、入館者がいる旨のタイマ音、または警備モードを警備解除状態に切り替える操作を促すメッセージを出力する（ステップＳ１３０４）。例えば、タイマ音としてのメロディ等や、「所定時間内に警備解除を行ってください」というメッセージ等を出力する。
【０１６１】
次に、異常検知部２１７は、入館タイマ計時中に、親世帯エリアのセンサ２０１ａ〜２０１ｎから検知信号を受信すると（ステップＳ１３０５）、異常通報部８１５は、受信した全ての検知信号を保留し、検知信号に基づく通報または報知を行わないようにする（ステップＳ１３０６）。
【０１６２】
そして、異常通報部８１５は、親世帯エリアの警備モードが警備解除状態に切り替えられたか否かの判断をする（ステップＳ１３０７）。即ち、異常通報部８１５は、警備モード切替部８１１によって親世帯エリア用警備モード記憶部２１２に、警備解除状態が記憶されたか否かの判断をする。
【０１６３】
親世帯エリアの警備モードが警備解除状態に切り替えられた場合（ステップＳ１３０７：Ｙｅｓ）、親世帯エリアの利用者が帰宅したことを検知したものと判断し、異常通報部８１５は、保留されていた全ての検知信号を取り消す（ステップＳ１３０８）。なお、共用エリアに設置されているコントローラ８２０の操作表示部８２１から親世帯エリアの警備モードを警備解除状態に切り替えるようにしてもよい。
【０１６４】
一方、親世帯エリアの警備モードが警備解除状態に切り替えられなかった場合（ステップＳ１３０７：Ｎｏ）、異常通報部８１５は、タイマ設定部８１６によって開始された入館タイマが、設定された一定時間を経過したか否かの判断をする（ステップＳ１３０９）。タイマ設定部８１６による計時が設定された一定時間を経過していない場合（ステップＳ１３０９：Ｎｏ）、異常通報部８１５は、ステップＳ１３０４に戻り、タイマ設定部８１６によって一定時間が経過するまで、ステップＳ１３０４〜１３０７までの処理を繰り返す。
【０１６５】
一方、タイマ設定部８１６による計時が設定された一定時間を経過した場合（ステップＳ１３０９：Ｙｅｓ）、検知したのは侵入者等であると判断して、親世帯エリア、子世帯エリア、または共用エリアの警備モードが警備状態に設定されている場合に、異常通報部８１５は、監視センタに異常が検知された旨を通報する（ステップＳ１３１０）。また、異常通報部８１５は、共用エリアに異常が検知された旨を報知する（ステップＳ１３１１）。
【０１６６】
そして、設定された一定時間を経過すると、タイマ設定部８１６は、入館タイマを停止する（ステップＳ１３１２）。また、異常通報部８１５が全ての検知信号を取り消した場合（ステップＳ１３０８）も、タイマ設定部８１６は、入館タイマを停止する（ステップＳ１３１２）。
【０１６７】
次に、本実施の形態にかかる警備装置７１０により入館タイマを利用した警備モード設定処理について説明する。図１４は、子世帯エリアにおいて入館タイマを利用した警備モードの設定をする際の手順を示すフローチャートである。
【０１６８】
まず、タイマ設定部８１６は、子世帯エリアの警備モードが警備状態、セルフ警備状態または在宅警備状態に設定されているか否かの判断をする（ステップＳ１４０１）。即ち、タイマ設定部８１６は、子世帯エリア用警備モード記憶部２１３に、現在の子世帯エリアの警備モードとして警備状態、セルフ警備状態または在宅警備状態が記憶されているか否かの判断をする。子世帯エリアの警備モードが警備状態、セルフ警備状態または在宅警備状態に設定されていない場合（ステップＳ１４０１：Ｎｏ）は、入館タイマを起動せず、処理を抜ける。
【０１６９】
一方、子世帯エリアの警備モードが警備状態、セルフ警備状態または在宅警備状態に設定されている場合（ステップＳ１４０１：Ｙｅｓ）、異常検知部２１７は、子世帯エリアのセンサ２０３ａ〜２０３ｎから検知信号を受信したか否かの判断をする（ステップＳ１４０２）。異常検知部２１７が子世帯エリアのセンサ２０３ａ〜２０３ｎから検知信号を受信していない場合（ステップＳ１４０２：Ｎｏ）、再度、ステップＳ１４０１の処理を繰り返す。
【０１７０】
一方、異常検知部２１７が子世帯エリアのセンサ２０３ａ〜２０３ｎから、人の存在や扉の開閉等による検知信号を受信した場合（ステップＳ１４０２：Ｙｅｓ）、タイマ設定部８１６は、入館タイマを起動し、予め設定されていた一定時間の計時を開始する（ステップＳ１４０３）。次に、入館タイマの計時が開始されると、出力部８１８は、入館者がいる旨のタイマ音、または警備モードを警備解除状態に切り替える操作を促すメッセージを出力する（ステップＳ１４０４）。例えば、タイマ音としてのメロディ等や、「所定時間内に警備解除を行ってください」というメッセージ等を出力する。
【０１７１】
次に、異常検知部２１７は、入館タイマ計時中に、子世帯エリアのセンサ２０３ａ〜２０３ｎから検知信号を受信する（ステップＳ１４０５）。異常検知部２１７から検知信号を受信すると、異常通報部８１５は、受信した全ての検知信号を保留し、検知信号に基づく通報または報知を行わないようにする（ステップＳ１４０６）。
【０１７２】
そして、異常通報部８１５は、子世帯エリアの警備モードが警備解除状態に切り替えられたか否かの判断をする（ステップＳ１４０７）。即ち、異常通報部８１５は、警備モード切替部８１１によって子世帯エリア用警備モード記憶部２１３に、警備解除状態が記憶されたか否かの判断をする。
【０１７３】
子世帯エリアの警備モードが警備解除状態に切り替えられた場合（ステップＳ１４０７：Ｙｅｓ）、子世帯エリアの利用者が帰宅したことを検知したものと判断し、異常通報部８１５は、保留されていた全ての検知信号を取り消す（ステップＳ１４０８）。なお、共用エリアに設置されているコントローラ８２０の操作表示部８２１から親世帯エリアの警備モードを警備解除状態に切り替えるようにしてもよい。
【０１７４】
一方、子世帯エリアの警備モードが警備解除状態に切り替えられなかった場合（ステップＳ１４０７：Ｎｏ）、異常通報部８１５は、タイマ設定部８１６によって開始された入館タイマが、設定された一定時間を経過したか否かの判断をする（ステップＳ１４０９）。タイマ設定部８１６による計時が設定された一定時間を経過していない場合（ステップＳ１４０９：Ｎｏ）、異常通報部８１５は、ステップＳ１４０４に戻り、タイマ設定部８１６によって一定時間が経過するまで、ステップＳ１４０４〜１４０７までの処理を繰り返す。
【０１７５】
一方、タイマ設定部８１６による計時が設定された一定時間を経過した場合（ステップＳ１４０９：Ｙｅｓ）、検知したのは侵入者等であると判断して、親世帯エリア、子世帯エリア、または共用エリアの警備モードが警備状態に設定されている場合に、異常通報部８１５は、監視センタに異常が検知された旨を通報する（ステップＳ１４１０）。また、異常通報部８１５は、共用エリアに異常が検知された旨を報知する（ステップＳ１４１１）。
【０１７６】
そして、設定された一定時間を経過すると、タイマ設定部８１６は、入館タイマを停止する（ステップＳ１４１２）。また、異常通報部８１５が全ての検知信号を取り消した場合（ステップＳ１４０８）も、タイマ設定部８１６は、入館タイマを停止する（ステップＳ１４１２）。
【０１７７】
このように、第２の実施の形態における警備装置７１０では、親世帯エリア及び子世帯エリアとは別個に独立して共用エリアの警備を設定することができ、親世帯エリア及び子世帯エリアのみへの侵入者等などの異常が検知された場合でも、共用エリアに異常検知した旨が通報されたり、監視センタに対して異常検知した旨の通報されるため、親世帯エリア及び子世帯エリアの異常に対して迅速な対応をすることができる。
【０１７８】
さらに、第２の実施の形態における警備装置７１０では、利用者が出入り口付近に設けられた親世帯エリアまたは子世帯エリアで警備を設定した後に外出する場合でも、設定した一定時間内においては利用者を侵入者と誤って捉えることがなく、また、利用者が出入り口付近に設けられた親世帯エリアまたは子世帯エリアの警備を設定して外出した後に帰宅する場合でも、利用者の該エリアへの入館による異常が検知されてから設定した一定時間内においては、利用者を侵入者と誤って捉えることがなく、誤った警報が報知されたり、誤って異常検知した旨が通報されることはない。従って、誤報に対する確認や対応に費やす時間や労力を軽減することができる。さらに、共用エリアにいる利用者は、出入り口付近に設けられた親世帯エリアまたは子世帯エリアを通り外出または帰宅する他の利用者の存在を知ることができるとともに監視領域の状況を認識することができる。従って、監視領域の異常が検知された場合でも、迅速な対応をすることができる。
【図面の簡単な説明】
【０１７９】
【図１】第１の実施の形態にかかる警備システムの構成を示すブロック図である。
【図２】第１の実施の形態にかかる警備装置の構成を示すブロック図である。
【図３】親世帯エリアにおいて警備装置により警備モードを設定する際の手順を示す    フローチャートである。
【図４−１】操作表示部に表示される警備モードの設定画面（監視領域の選択画面）    の一例を示す模式図である。
【図４−２】操作表示部における共用エリアの警備モード設定画面（警備モードの選    択画面）の一例を示す模式図である。
【図５】親世帯エリアにおいて警備装置により退館タイマを利用した警備モードの設    定をする際の手順を示すフローチャートである。
【図６】退館タイマが起動した際の計時開始画面の一例を示す模式図である。
【図７】子世帯エリアにおいて警備装置により退館タイマを利用した警備モードの設    定をする際の手順を示すフローチャートである。
【図８−１】入館タイマを利用した警備モードの設定をする際の手順を示すフローチ    ャートである。
【図８−２】入館タイマを利用した警備モードの設定をする際の手順を示すフローチ    ャート（続き）である。
【図９】第２の実施の形態にかかる警備システムの構成を示すブロック図である。
【図１０】第２の実施の形態にかかる警備装置の構成を示すブロック図である。
【図１１】親世帯エリアにおいて警備装置により退館タイマを利用した警備モードの    設定をする際の手順を示すフローチャートである。
【図１２】子世帯エリアにおいて警備装置により退館タイマを利用した警備モードの    設定をする際の手順を示すフローチャートである。
【図１３】親世帯エリアにおいて入館タイマを利用した警備モードの設定をする際の    手順を示すフローチャートである。
【図１４】子世帯エリアにおいて入館タイマを利用した警備モードの設定をする際の    手順を示すフローチャートである。
【符号の説明】
【０１８０】
１００，７００  警備システム
１１０，７１０  警備装置
１２０  ネットワーク
１３０  監視センタ
２０１ａ〜２０１ｎ，２０３ａ〜２０３ｎ，２０７ａ〜２０７ｎ  センサ
２０２，２０４，２０８  カメラ
２０５  入出力制御部
２０６  通信制御部
２１０，８１０  制御部
２１１，８１１  警備モード切替部
２１２  親世帯エリア用警備モード記憶部
２１３  子世帯エリア用警備モード記憶部
２１４  共用エリア用警備モード記憶部
２１５，８１５  異常通報部
２１６，８１６  タイマ設定部
２１７  異常検知部
２１８，８１８  出力部
２２０，８２０  コントローラ
２３０，８３０，８４０  サブコントローラ
２２１，２３１，８２１，８３１，８４１  操作表示部
２２２，２３２，８２２，８３２，８４２  マイク
２２３，２３３，８２３，８３３，８４３  スピーカ
【図１】
2007011616.tif 000003
【図２】
2007011616.tif 000004
【図３】
2007011616.tif 000005
【図４−１】
2007011616.tif 000006
【図４−２】
2007011616.tif 000007
【図５】
2007011616.tif 000008
【図６】
2007011616.tif 000009
【図７】
2007011616.tif 000010
【図８−１】
2007011616.tif 000011
【図８−２】
2007011616.tif 000012
【図９】
2007011616.tif 000013
【図１０】
2007011616.tif 000014
【図１１】
2007011616.tif 000015
【図１２】
2007011616.tif 000016
【図１３】
2007011616.tif 000017
【図１４】
2007011616.tif 000018